(57)【特許請求の範囲】
【請求項１】
洗浄庫底部に貯留した水を吸引してノズルから洗浄庫内に噴出させる洗浄ポンプとして、洗浄インペラの中央前方から吸引した水を外周側へと押し出す渦巻ポンプを用いた食器洗い機において、
前記洗浄ポンプ室は、前記洗浄インペラを内部に配置し、前記洗浄ポンプ室の外形を成すケーシングを有し、
また、前記ケーシングは、
前記ケーシングの前面中央からＬ字状に屈曲して延出する吸入パイプと、
前記ケーシングの周面に形成する吐出パイプと、
前記ケーシングのうち前記吸入パイプの根元で、前記洗浄インペラ前面との離間距離を最も小さくした延出基部と、
該延出基部の周囲に前記吐出パイプに向かって徐々に断面積を大きくする流路と、
前記吸入パイプ根元の前記延出基部のうち前記洗浄インペラ前面と前記吸入パイプとで挟まれる部分の前記ケーシングの前面に形成され、隣接する前記流路の前面壁と高さが揃った平坦部と、
前記延出基部のうちの前記洗浄インペラ前面と前記吸入パイプとで挟まれる部分以外の前記ケーシングの前面に、内側に窪ませて形成する凹所と、
前記平坦部の内壁面に、洗浄ポンプ室側から小さな多数の凹部が形成されるよう立設するリブと、
を有することを特徴とする食器洗い機。
【請求項２】
前記洗浄ポンプは、洗浄庫底部に貯留した水を吸引してノズルから洗浄庫内に噴出させる洗浄動作と、洗浄庫底部に貯留した水を吸引して排水路を介して機外へと排出する排水動作とを、単一モータの回転方向の切替えによって選択的に行うようにした洗浄兼排水ポンプの一部として実現し、前記ケーシングは、洗浄ポンプ室の外形を成す洗浄側ケーシング、排水ポンプ室の外形を成す排水側ケーシング、及び洗浄ポンプ室と排水ポンプ室とを区画する隔壁を含み、該洗浄側ケーシングに前記吸入パイプ及び吐出パイプが設けられることを特徴とする請求項１に記載の食器洗い機。
【請求項３】
前記リブの形状は格子状であることを特徴とする請求項１又は２に記載の食器洗い機。
【発明の詳細な説明】
【０００１】
【発明の属する技術分野】
本発明は食器洗い機に関する。
【０００２】
【従来の技術】
食器洗い機として、食器類を収容した洗浄庫の底部に水を貯留し、その水を洗浄ポンプにより吸引してノズルへと送り、ノズルから食器類に水を噴射することにより食器類の洗浄及びすすぎを行う構成のものが知られている。この種の食器洗い機では、コストや省スペース性の観点から、洗浄時に水を吸引してノズルへと圧送する洗浄ポンプと、洗浄やすすぎ終了後に洗浄庫内に貯留されている水を機外へ排出するための排水ポンプとをユニット化した、洗浄兼排水ポンプが一般に利用されている。
【０００３】
図１４は、洗浄兼排水ポンプを利用した従来の一般的な食器洗い機の全体構成を示す側面縦断面図である。機枠１の内部には乾燥室を兼用する洗浄庫２が配設され、洗浄庫２の前面開口には、その下端が軸支されるドア３が開閉自在に設けられている。洗浄庫２の底部中央には、上面に複数のノズル５が形成された回転自在のアーム４が設けられている。また、洗浄庫２の底部には、循環口７及び排水口８が側方に設けられた貯水槽６が連通して配設されており、貯水槽６の上面には、食器類から流れ落ちた残菜類を捕集するためのメッシュ状のフィルタ９が設けられている。
【０００４】
機枠１の後部には給水弁１２が設けられており、給水弁１２を介して外部より供給された水は給水口１３から洗浄庫２内に注がれ、所定水位までの水が貯留される。洗浄庫２の底面下方には、洗浄兼排水ポンプ１０が配置されている。洗浄兼排水ポンプ１０は、洗浄ポンプ室１０１と排水ポンプ室１０２とを隔壁２５で区画して成るケーシング２４と、洗浄ポンプ室１０１内に回動自在に設けられた洗浄インペラ２２と、排水ポンプ室１０２内に回動自在に設けられた排水インペラ２３と、両インペラ２２、２３を同軸で回転駆動するポンプモータ２０とを含む。洗浄ポンプ室１０１は循環口７及びアーム４に連通しており、排水ポンプ室１０２は排水口８及び排水ホース１１に連通している。
【０００５】
洗い及びすすぎ時には、ポンプモータ２０は正転方向に回転駆動され、これにより回転する洗浄インペラ２２は、循環口７を通して貯水槽６から吸い込んだ水をアーム４へと送出する。一方、排水時にはポンプモータ２０は逆転方向に回転駆動され、これにより回転する排水インペラ２３は、排水口８を通して貯水槽６から吸い込んだ水を排水ホース１１を通して機外へと排出する。
【０００６】
【発明が解決しようとする課題】
しかしながら、例えば、洗浄のために洗浄インペラ２２を所定方向に回転させるとき、排水インペラ２３は逆方向に回転することになるから、排水ポンプ室１０２では吐出口、つまり排水ホース１１側から水を吸い込み、水とともに空気まで吸い込んで、いわゆるエア噛みを生じる恐れがあった。このようなエア噛みを防止するため、特開平１１−１２８１４５号公報に記載の食器洗い機では、排水路中に、排水方向と逆方向に水が流れることを防止する逆止弁を設けるようにしている。
【０００７】
図１５は、この逆止弁の取付構造を示す略断面図である。排水ポンプ室１０２の吐出口４２に接続された排水ホース８０の末端には筒状のケース８１が嵌挿され、シール用のＯリング８２を介して筒状のキャップ８４が嵌合されている。キャップ８４には機外へと連通する排水ホース１１が接続される。ケース８１とキャップ８４との間には弾性部材から成る弁体８３の支持基部が挟持されており、排水動作時には、図１５中に２点鎖線で示すように弁体８３は支持基部を軸に蝶動して排水路を開放する。また、それ以外のときには、上方の弁室側に溜まった水の圧力でケース８１内部の弁座に着座し、水が下方に逆流することを阻止する。
【０００８】
ところが、上記構造の逆止弁を設けるには、排水ホースを２つに分割し（排水ホース８０、１１）、その途中にケース８１、キャップ８４、弁体８３、Ｏリング８２から成る逆止弁を装着することとなり、その分だけコストが高いものとなる。そのため、このような従来のものに比べて部品点数の少ない、低コストの構造が望まれている。
【０００９】
また、上述したような食器洗い機は、かなり大きな設置スペースを必要とする。これに対し、近年、流し台（シンク）の横の狭いスペースにも設置できるような、奥行の小さな食器洗い機が市販されるようになってきている。このような食器洗い機では、洗浄兼排水ポンプ１０の設置スペースの制限から、図１４に示したように食器洗い機の前後方向に延在するように洗浄兼排水ポンプ１０を配置することはできず、例えば、幅方向に延在するように横向きに配置する必要がある。その場合、貯水槽６の循環口７と洗浄ポンプ室１０１とを直線的に接続することはできない。そこで、一つの方法としては、循環口７と洗浄兼排水ポンプ１０の洗浄側吸入口とを可撓性のホース等により連結することが考え得るが、部品点数が増加することからコスト的に好ましくない。そこで、そのような配置に適した構造・形状の洗浄兼排水ポンプが望まれている。
【００１０】
本発明はこれらの課題を解決するために成されたものであり、その第１の目的は、排水路中に逆止弁を設ける際のコストを低減することができるような構造を有する逆止弁を備えた食器洗い機を提供することにある。また、本発明の第２の目的は、洗浄兼排水ポンプを機枠の幅方向に延在するように配置する場合でも、コストが増加することなく、しかもポンプ性能も劣化させることのない構造を有する洗浄兼排水ポンプを備える食器洗い機を提供することにある。
【００１１】
【課題を解決するための手段及び発明の効果】
上記課題を解決するために成された第１の発明に係る食器洗い機は、洗浄庫底部に貯留した水を吸引してノズルから洗浄庫内に噴出させる洗浄ポンプとして、洗浄インペラの中央前方から吸引した水を外周側へと押し出す渦巻ポンプを用いた食器洗い機において、前記洗浄ポンプ室は、前記洗浄インペラを内部に配置し、前記洗浄ポンプ室の外形を成すケーシングを有し、また、前記ケーシングは、前記ケーシングの前面中央からＬ字状に屈曲して延出する吸入パイプと、前記ケーシングの周面に形成する吐出パイプと、前記ケーシングのうち前記吸入パイプの根元で、前記洗浄インペラ前面との離間距離を最も小さくした延出基部と、該延出基部の周囲に前記吐出パイプに向かって徐々に断面積を大きくする流路と、前記吸入パイプ根元の前記延出基部のうち前記洗浄インペラ前面と前記吸入パイプとで挟まれる部分の前記ケーシングの前面に形成され、隣接する前記流路の前面壁と高さが揃った平坦部と、前記延出基部のうちの前記洗浄インペラ前面と前記吸入パイプとで挟まれる部分以外の前記ケーシングの前面に、内側に窪ませて形成する凹所と、前記平坦部の内壁面に、洗浄ポンプ室側から小さな多数の凹部が形成されるよう立設するリブと、を有することを特徴としている。
【００１６】
この構成によれば、ケーシングの前面壁と吸入パイプで挟まれる部分は凹部を有しておらず、隣接する流路の外側面と略面一に形成されているので、このケーシングを成型する際に、吸入パイプの端面開口に略直交する方向に金型を抜去することができる。その外側面と内側面との間の厚肉の肉厚部がそのまま残っていると、成型の際に不良になり易いが、リブを形成することにより、実質的に極端な肉厚が解消されているので、そのような不良も生じにくい。また、リブを形成することなく単にその肉厚部を大きくくり抜いた形状としてしまうと、吸入パイプを介して吸引された水がその部分で乱流となり、ポンプ性能を劣化させ得るが、多数の凹部が形成されているため、大きな乱流は発生せず、ポンプ性能を劣化させることもない。更に、吸入パイプは略Ｌ字状に屈曲しているので、この洗浄ポンプを機枠に対して幅方向に延在するように配置しても、その前方に位置する貯留槽の循環口に吸入パイプを直接連結させることができる。
【００１７】
上記第１の発明に係る食器洗い機の一実施態様として、前記洗浄ポンプは、洗浄庫底部に貯留した水を吸引してノズルから洗浄庫内に噴出させる洗浄動作と、洗浄庫底部に貯留した水を吸引して排水路を介して機外へと排出する排水動作とを、単一モータの回転方向の切替えによって選択的に行うようにした洗浄兼排水ポンプの一部として実現し、前記ケーシングは、洗浄ポンプ室の外形を成す洗浄側ケーシング、排水ポンプ室の外形を成す排水側ケーシング、及び洗浄ポンプ室と排水ポンプ室とを区画する隔壁を含み、該洗浄側ケーシングに前記吸入パイプ及び吐出パイプが設けられる構成とすることができる。
【００１８】
なお、上記リブの形状は例えば格子状とすれば、金型の形状も複雑にならずに済む。
【００１９】
【発明の実施の形態】
以下、本発明の一実施形態による食器洗い機を図面を参照して説明する。図１は、本実施形態による食器洗い機の側面縦断面図である。この食器洗い機は、例えば台所のシンクの側方の狭いスペースに設置が可能であるように、奥行が小さな薄型構造となっている。図１４と同一又は相当部分には同一符号を付してあるので、説明を省略する。
【００２０】
本食器洗い機では、洗浄庫２の前面開口には、その上端及び下端でそれぞれ軸支される上部ドア３ａ及び下部ドア３ｂが、図１中の矢印ａ及びｂの方向に回動しつつ開放するように取り付けられている。洗浄庫２の底部には、上面に複数のノズル５が形成された回転自在のアーム４が設けられている。この食器洗い機では洗浄庫２の幅が奥行よりも大きいため、１本のアームだけでは洗浄庫２内の両側方部まで水が行き渡らない。そこで、回転時に上記アーム４と干渉しない位置に並んで、図示しない他のアームが設けられている。
【００２１】
洗浄庫２の底面下方には洗浄兼排水ポンプ１０が配置されている。洗浄兼排水ポンプ１０の洗浄ポンプ室（図１には現れない）は、略Ｌ字状に形成された洗浄側吸入パイプ３１を介して循環口７に接続され、洗浄側吐出パイプ３２を介して水平方向に延在して配設された通水路１４に接続されている。この通水路１４はアーム４内の水路（及び図示しない他のアーム内の水路）に連通している。また、同じく図示しない排水ポンプ室は、図示しない排水側吸入パイプを介して排水口８に接続され、排水側吐出パイプ４２は排水ホースを介して機外に連通している。洗浄兼排水ポンプ１０のポンプモータが正転方向に回転駆動されると、後述のように、洗浄インペラの作用により、循環口７を通して貯水槽６から吸い込んだ水をアーム４へと圧送する。一方、排水時には、ポンプモータは逆転方向に回転駆動され、排水インペラの作用により、排水口８を通して貯水槽６から吸い込んだ水を排水ホースを通して機外へと排出する。
【００２２】
本発明の特徴の一つである洗浄兼排水ポンプ１０の構造について、詳細に説明する。図２は本洗浄兼排水ポンプ１０の要部の構成を示す縦断面図、図３は正面図である。この洗浄兼排水ポンプ１０は、内部に洗浄ポンプ室１０１と排水ポンプ室１０２とを区画するケーシング２４、正転及び逆転方向に回転駆動可能なポンプモータ２０、洗浄ポンプ室１０１内部にあってポンプモータ２０の回転軸２１に取り付けられた洗浄インペラ２２、及び排水ポンプ室１０２にあって回転軸２１に取り付けられた排水インペラ２３を含む。
【００２３】
ケーシング２４は、洗浄側ケーシング３０と、排水側ケーシング４０と、両ケーシング３０、４０の間に挟持される隔壁２５とから成る。モータ２０の回転軸２１は、排水側ケーシング４０及び隔壁２５を貫通している。洗浄インペラ２２の背面と隔壁２５との間、及び排水インペラ２３と隔壁２５との間には、所定形状に凹部と凸部とが適宜の間隙を保って形成されており、いわゆるラビリンス結合を成している。これによって、洗浄ポンプ室１０１と排水ポンプ室１０２との間の高い液密性が達成される。なお、ケーシング２４を形成する材料は、堅牢性や耐久性を考慮して、ガラス繊維等の強化材を混入したプラスチック、例えば、ガラス繊維入りポリプロピレン樹脂が利用される。
【００２４】
洗浄側ケーシング３０は、その前面中央からＬ字状に屈曲して伸びる洗浄側吸入パイプ３１に形成された洗浄側吸入口と、周面の右部から上方に直管状に伸びる洗浄側吐出パイプ３２に形成された洗浄側吐出口とを備える。洗浄インペラ２２は、外周側から中央に向かって湾曲する円板状の基体の前面に渦巻状に複数の翼体を有しており、この洗浄インペラ２２が所定方向に回転されると、中央部前面から吸い込んだ水を外周側へ押し出す、渦巻ポンプとして機能する。つまり、洗浄側吸入口から吸い込んだ水を洗浄側吐出口から吐き出す。
【００２５】
一方、排水側ケーシング４０は、水平横方向に直管状に伸びる排水側吸入パイプ４１に形成された排水側吸入口と、周面の左部から斜め上方に直管状に伸びる排水側吐出パイプ４２に形成された排水側吐出口とを備える。排水インペラ２３は、平坦な円板状の基体前面の周囲に放射状に複数の翼体を備えており、この排水インペラ２３が所定方向に回転されると、側方から吸い込んだ水を外周に沿って離れた側方へ押し出す、渦流ポンプとして機能する。つまり、排水側吸入口から吸い込んだ水を排水側吐出口から吐き出す。
【００２６】
図４は洗浄側ケーシング３０の外観図であり、（ａ）は正面図、（ｂ）は側面図である。図５は図４（ａ）中のＡ−Ａ’線断面図である。図６は図４（ｂ）中のＢ−Ｂ’線断面図である。図７は洗浄側ケーシング３０の背面図である。
【００２７】
上述したように洗浄ポンプは渦巻ポンプである。渦巻ポンプでは、洗浄側吸入パイプ３１の根元の延出基部３３において洗浄インペラ２２前面との離間距離を最も小さくし、洗浄側吐出パイプ３２に向かって徐々に流路３４の断面積を大きくする。そのため、上記延出基部３３は内側に窪んだ凹所として形成され、その周囲に渦巻状に配設された流路３４は、その幅（つまり外周壁３４２と内周壁３４３との間隔）を洗浄側吐出パイプ３２に向かうに従い徐々に広くするとともに（図６参照）、その前面壁３４１は前方への膨出を徐々に増加させた形状としている。
【００２８】
このような屈曲形状の洗浄側吸入パイプ３１を金型を使って成形するためには、図５でＰ１、Ｐ２をパート部（つまり複数の金型の密着部）とし、右方向（矢印Ｐａの方向）に金型を抜去する必要がある。そのためには、洗浄側吸入パイプ３１との間に狭い隙間を形成する延出基部３３には上述したような凹所を残すことはできず、図５に示すように、隣接する前面壁３４１と高さが揃った平坦部３５を形成する。ところが、この平坦部３５の内側の壁面を肉厚（図５中の厚さｔ）のまま残すと、樹脂成形する際に不良が発生し易くなる。
【００２９】
そこで、本食器洗い機では、図５及び図７に示すように、この平坦部３５の内壁面には格子状のリブ３５１を設け、極端な肉厚とならないようにしている。この部分にリブ３５１を設けずに中を空洞部にすると、洗浄側吸入パイプ３１を介して吸引された水がその空洞部で乱流を生じ、ポンプの吸引性能を落とすことになる。これに対し、本実施形態のように格子間隔の狭いリブ３５１を設けることにより、乱流の発生を防止してポンプの性能が大きく劣化することを回避するとともに、上述したような成形時の不良も防止することができる。
【００３０】
次に、本発明の他の特徴である逆止弁の構造について説明する。本実施形態による食器洗い機では、上述した洗浄兼排水ポンプ１０の排水側ケーシング４０に逆止弁が一体的に設けられる。
【００３１】
図８及び図９は排水側ケーシング４０の外観を示す上面図及び正面図、図１０（ａ）及び（ｂ）は図９中のＣ−Ｃ’線及びＤ−Ｄ’線断面図、図１１（ａ）は側面図、図１１（ｂ）は図９中のＥ−Ｅ’線断面図である。また、図１２は逆止弁の構造を示す部分断面図である。
【００３２】
上述した如く、排水側ケーシング４０は、略円筒状の側周壁４３から排水側吐出パイプ４２が斜め上方に延出して形成されている。この吐出パイプ４２は、小径の円筒状のパイプ４２１端部に、パイプ４１よりも大径の筒状の逆止弁ケース４２２が一体に形成されている。図１２に示すように、逆止弁５０は、上記逆止弁ケース４２２のほか、キャップ部材５１と弁部材５２とから構成される。キャップ部材５１は、逆止弁ケース４２２の内側に嵌合する大径部５１１とその上部に一体に形成されたＬ字状に屈曲するパイプ５１２とを有している。逆止弁ケース４２２の内側には、シール部材としてＯリング５３が介装されてキャップ部材５１の大径部５１１が嵌合される。また、逆止弁ケース４２２の内部の上端面には、環状に弁座４２３が形成されている。なお、図示しないものの、キャップ部材５１のパイプ５１２の先端には機外に連通する排水ホースが接続される。
【００３３】
弁部材５２は、ゴム等の可撓性を有する弾性部材で形成されており、逆止弁ケース４２２に形成された弁座４２３に当接して流路を閉塞できる大きさの弁体５２１と、弁体５２１の一端にあって弁体５２１を弁座４２３に対して開閉自在に支持する支持基部５２２とを有し、支持基部５２２はキャップ部材５１の大径部５１１の端面と逆止弁ケース４２２の内側端面とによって挟持されている。
【００３４】
弁体５２１は支持基部５２２を支点として回動し、流路を開閉する。すなわち、排水ポンプ室１０２からの水の吐出がない場合には、支持基部５２２の弾性復元力と重力により、弁体５２１は弁座４２３に密着して閉成する（図１２に実線で示す状態）。これにより、弁体５２１より上方の流路から下方に、つまり排水ポンプ室１０２側へ水が逆流することを妨げる。他方、上述したように排水インペラ２３が回転駆動されて排水ポンプ室１０２から水が吐出されると、水の圧力により弁体５２１は支持基部５２２を支点に回動して開成し（図１２に点線で示す状態）、排水側吐出パイプ４２側からキャップ部材５１側へと水が流れる。
【００３５】
このように、本実施形態による食器洗い機では、逆止弁５０を構成する一部材である逆止弁ケース４２２を排水側ケーシング４０に一体化したので、従来、排水側ケーシングとは別体の部材であった逆止弁ケースや、この逆止弁ケースと排水側吐出パイプとを接続するためのホースが不要になる。そのため、従来の構成と比べて部品点数が少なくてすみ、コストの削減が図れる。
【００３６】
なお、排水側ケーシング４０を金型成形する際にも、複数の金型が用いられるが、排水側吐出パイプ４２を形成するために、図１０中のＰ４をパート部とする金型が用いられ、その金型は図１０中の矢印Ｐｂの方向に抜かれる。図１０（ｂ）に示すように、側周壁４３から更に外側に張り出している鍔部４４とパイプ４２１との接続部４２４において、パイプ４２１の外周面と鍔部４４との間に楔状の隙間が生じないような形状になっている。そのため、上述したように矢印Ｐｂの方向にスムーズに金型が抜去できる。
【００３７】
ところで、この食器洗い機では、洗浄庫２の内底部にヒータが配設され、洗浄やすすぎ時には洗浄庫２の底部に貯留した水を加熱することができるようになっているとともに、乾燥時には洗浄庫２内の空気を加熱することができるようになっている。また、このときに加熱制御を行うことができるように、洗浄庫２の底面外側には、温度検知用のサーミスタと過熱検知用の温度ヒューズとが設けられている。
【００３８】
図１３は、このサーミスタ及び温度ヒューズの取付構造を示す図であり、（ａ）は取付けのためのホルダ６０の上面図、（ｂ）はこのホルダ６０を洗浄庫底壁に取り付けた状態でのＦ−Ｆ’線断面図である。
【００３９】
ホルダ６０は全体が側面略Ｌ字状を有しており、下面にネジ孔６１が、立設面にサーミスタ７０を着脱自在に保持可能なツメ６２と温度ヒューズ７１の取付開口６３が、その上部に後方に突出してバネ状部６４が形成されている。一方、このホルダ６０を取り付ける洗浄庫２の底壁角部にあっては、底壁２０１にはネジ孔を穿孔したボス２０２が下向きに立設されている。また、底壁２０１から垂直壁２０３を介して一段高くなった水平壁２０４の所定個所には、リブ２０４が下向きに突設されている。なお、２０６はヒータである。
【００４０】
ホルダ６０を洗浄庫２の底壁角部に取り付ける際には、図１３（ｂ）に示すように、垂直壁２０３とリブ２０５との隙間にバネ状部６４を押し入れて、サーミスタ７０と温度ヒューズ７１とを垂直壁２０３に密着させ、ネジ孔６１に下方からネジ７２を挿通してボス２０２のネジ孔に螺合する。ホルダ６０の上部は、リブ２０４に対するバネ状部６４の押圧によりしっかりと固定され、しかも、バネ状部６４の撓みによりサーミスタ７０及び温度ヒューズ７１は確実に垂直壁２０３に密着する。
【００４１】
なお、上記実施形態は単に一例であって、本発明の主旨の範囲で適宜、修正や変更できることは明らかである。
【図面の簡単な説明】
【図１】  本発明の一実施形態による食器洗い機の側面縦断面図。
【図２】  本実施形態の食器洗い機における洗浄兼排水ポンプの側面断面図。
【図３】  本実施形態の食器洗い機における洗浄兼排水ポンプの正面図。
【図４】  本洗浄兼排水ポンプの洗浄側ケーシングの外観正面図（ａ）及び外観側面図（ｂ）。
【図５】  図４（ａ）中のＡ−Ａ’線断面図。
【図６】  図４（ｂ）中のＢ−Ｂ’線断面図。
【図７】  本洗浄兼排水ポンプの洗浄側ケーシングの外観背面図。
【図８】  本洗浄兼排水ポンプの排水側ケーシングの外観上面図。
【図９】  本洗浄兼排水ポンプの排水側ケーシングの外観正面図。
【図１０】  図９中のＣ−Ｃ’線断面図（ａ）及びＤ−Ｄ’線断面図（ｂ）。
【図１１】  本洗浄兼排水ポンプの排水側ケーシングの外観側面図（ａ）及び図９中のＥ−Ｅ’線断面図（ｂ）。
【図１２】  本実施形態の食器洗い機における逆止弁の構造を示す部分断面図。
【図１３】  本実施形態の食器洗い機における温度検出部の取付構造を示す上面図（ａ）及びＦ−Ｆ’線断面図。
【図１４】  従来の一般的な食器洗い機の構成を示す側面縦断面図。
【図１５】  従来の逆止弁の構造を示す縦断面図。
【符号の説明】
１０…洗浄兼排水ポンプ
１０１…洗浄ポンプ室
１０２…排水ポンプ室
２０…ポンプモータ
２１…回転軸
２２…洗浄インペラ
２３…排水インペラ
２４…ケーシング
２５…隔壁
３０…洗浄側ケーシング
３１…洗浄側吸入パイプ
３２…洗浄側吐出パイプ
３３…延出基部
３４…流路
３４１…前面壁
３４２…外周壁
３４３…内周壁
３５…平坦部
３５１…リブ
４０…排水側ケーシング
４１…排水側吸入パイプ
４２…排水側吐出パイプ
４２１…パイプ
４２２…逆止弁ケース（筒状体）
４２３…弁座
４３…側周壁
４４…鍔部
５０…逆止弁
５１…キャップ部材
５１１…大径部
５１２…パイプ
５２…弁部材
５２１…弁体
５２２…支持基部
５３…Ｏリング
【図１】
0003768068.tif 000002
【図２】
0003768068.tif 000003
【図３】
0003768068.tif 000004
【図４】
0003768068.tif 000005
【図５】
0003768068.tif 000006
【図６】
0003768068.tif 000007
【図７】
0003768068.tif 000008
【図８】
0003768068.tif 000009
【図９】
0003768068.tif 000010
【図１０】
0003768068.tif 000011
【図１１】
0003768068.tif 000012
【図１２】
0003768068.tif 000013
【図１３】
0003768068.tif 000014
【図１４】
0003768068.tif 000015
【図１５】
0003768068.tif 000016